(57)【要約】【課題】家具を配置又は配列した場合に、壁面との間に生じる隙間及び隣り合う家具との間に生じる隙間を塞ぐ為の隙間カバーであって、外観を損なうことなく、又は隙間の大きさが変化しても対応可能な隙間カバー材の提供。【解決手段】この隙間カバー材は壁面１２又は家具側面１４に固定される取付け部材１と隙間１３を塞ぐカバー部材２から成り、カバー部材２と取付け部材１は軟質樹脂の繋ぎ部３を介してＬ型に組み合わされ、そしてカバー部材２の先端には軟質樹脂の先端部４を有している。【選択図】        図２
2004305288.tif 000002
【特許請求の範囲】
【請求項１】
家具を配置又は配列した場合に、該家具と壁面との間に生じる隙間及び隣り合う家具との間に生じる隙間を塞ぐ為の隙間カバー材において、家具側面又は壁面に固定される取付け部材と隙間を塞ぐカバー部材から成り、カバー部材と取付け部材はＬ型に組み合わされ、そしてカバー部材の先端には軟質樹脂から成る先端部を有していることを特徴とする家具側方の隙間カバー材。
【請求項２】
上記カバー部材の先端部を適当な長さに切断する為の切欠き溝を形成した請求項１記載の家具側方の隙間カバー材。
【請求項３】
家具を配置又は配列した場合に、該家具と壁面との間に生じる隙間及び隣り合う家具との間に生じる隙間を塞ぐ為の隙間カバー材において、家具側面又は壁面に固定される取付け部材と隙間を塞ぐカバー部材を有し、そしてカバー部材と取付け部材は軟質樹脂から成る繋ぎ部にて屈曲してＬ型に組み合わされ、そしてカバー部材の先端には軟質樹脂から成る先端部を有していることを特徴とする家具側方の隙間カバー材。
【請求項４】
上記取付け部材とカバー部材には互いに嵌合する嵌合凹部と嵌合凸部を設けた請求項１、請求項２、又は請求項３記載の家具側方の隙間カバー材。
【発明の詳細な説明】
【０００１】
【発明の属する技術分野】
本発明は家具を部屋に配置する場合、壁面との間に形成される隙間、又は隣の家具との間に形成される隙間を防止する為の隙間カバー材に関するものである。
【０００２】
【従来の技術】
部屋に家具を配置する場合、該家具と壁面との間には多少を問わず隙間が介在する。又、複数の家具を配列する場合も隣り合う家具との間には隙間が発生する。近年の住宅は図６に示しているように、家具（イ）を収容する為の収納空間（ロ）を前以て設けてあり、この収納空間（ロ）に家具（イ）を収容している場合が多い。このような収納空間（ロ）に収容することで、該収納空間（ロ）と家具（イ）との間に残される隙間（ハ）が目立ち、この隙間（ハ）をカバー材によって塞いでいる。
【０００３】
図７（ａ）はこの隙間（ハ）にコーキング材（ニ）を充填した場合であり、しかし該隙間（ハ）が大きな時は該コーキング材（ニ）が外れる為に、木片（ホ）を壁面（ヘ）にクギ打ちした状態でコーキング処理が施される。又図７（ｂ）は板材（ト）をクギ打ちして隙間（ハ）を塞いだ場合を示しているが、該板材（ト）をクギ打ちすることで家具（イ）の表面から突出して外観が損なわれる。そして、板材（ト）を取外すならば家具正面にはクギ跡が残ってしまうといった問題がある。
【０００４】
一方、書棚を配列して大きな部屋空間を仕切る為の間仕切りとして兼用する場合もある。図８は複数の書棚（チ）、（チ）・・を配列した場合を示しているが、このように間仕切りとしている場合は、壁面（リ）との間に残される隙間（ハ）は間仕切りとして機能を損なう為に大きな問題がある。勿論、部屋の大きさに合わせて書棚（チ）を製作することは可能であるが、特注製作となってコストが非常に高くなってしまう。
【０００５】
【発明が解決しようとする課題】
このように、家具を配置・配列した場合の壁面との隙間防止及び収納空間の壁面との間の隙間カバー材には上記のごとき問題がある。本発明が解決しようとする課題はこの問題点であって、外観を損なうことなく又隙間の大きさが変化しても十分に対応可能な隙間カバー材を提供する。
【０００６】
【課題を解決する為の手段】
本発明に係る隙間カバー材は取付け部材とカバー部材から構成され、全体形状は概略Ｌ型断面を成した長尺材である。そして、取付け部材及びカバー部材のコーナーとカバー部材先端には軟質樹脂が設けられ、壁面及び家具側面と密着して隙間の発生を防止することが出来る。ここで、取付け部材は壁面側に取着する場合と家具側に取着する場合があるが、壁面側に取着すると共にカバー部材を家具の正面に重ね合わすように延ばす場合には、該カバー部材全体を硬質樹脂とすることも出来、長さを適当に切り落とす為に切欠き溝を設ける場合もある。
【０００７】
ここで、取付け部材とカバー部材を一体成形する場合と、別部材として成形して取付けに際して組付けるように構成することも出来る。取付け部材とカバー部材をＬ型に組付ける為に、互いに嵌合し合う嵌合凹部と嵌合凸部を形成している。又は上記嵌合部に限ることなく、互いに係合又は係止することでＬ型に組付けることも可能である。以下、本発明に係る実施例を図面に基づいて詳細に説明する。
【０００８】
【実施例】
図１は本発明に係る隙間カバー材を示す実施例であり、同図の１は取付け部材、２はカバー部材を表し、該取付け部材１とカバー部材２は軟質樹脂から成る繋ぎ部３にて連結され、カバー部材２の先端には軟質樹脂から成る先端部４を有している。そして取付け部材１にはアーム５を延ばして先端には嵌合凹部６を有し、又カバー部材２からはアーム７を延ばして先端には嵌合凸部８を形成している。
【０００９】
軟質樹脂の上記繋ぎ部３は屈曲又は湾曲変形することが出来る為に、カバー部材２は取付け部材１に対して垂直方向に屈曲してＬ型断面形状に屈曲することが出来る。そして、この場合にカバー部材２に設けている嵌合凸部８は取付け部材１に設けている嵌合凹部６に嵌って本発明の隙間カバー材を構成する。該取付け部材１の所々には小さな穴９，９・・が貫通して設けられ、この穴９，９・・にネジ又はクギを挿通して固定する。
【００１０】
図２は本発明の隙間カバー材を取付けた場合を示す具体例である。家具１０は収納空間１１に収容され、収納空間１１の壁面１２と家具１０との間には隙間１３が残されている。そこで、該隙間１３を塞ぐ為に本発明の隙間カバー材が取付けられている。前記図１に示した取付け部材１とカバー部材２は繋ぎ部３を介して同一面を成しているが、取付け部材１の嵌合凹部６にカバー部材２の嵌合凸部８を嵌めてＬ型に屈曲した状態で家具１０の側面１４にネジ止めされる。
【００１１】
先端部４は壁面１２に当って湾曲し、又繋ぎ部３は家具側面１４に接することで、隙間１３は塞がれる。該繋ぎ部３は取付け部材１とカバー部材２を連結するだけでなく、Ｌ型に屈曲した際に家具側面１４に接することが出来るように、図１に示す突出形状としている。そして隙間１３の大きさが多少変わっても、先端部４の撓み量が調整されることで該隙間１３を完全に塞ぐことが出来る。本発明の隙間カバー材は前記図１の状態で成形され、現場へ運ばれたところでＬ型に屈曲して取付けられる。
【００１２】
図３は本発明の他の実施例であり、この隙間カバー材は収納空間１１の壁面側に取着されている。そしてカバー部材２は家具１０の表面１５を一部被覆ように接している。該カバー部材２の内側には複数の切欠き溝１６，１６・・が等間隔で設けられ、壁面１２と家具１０との間の隙間１３の大きさに応じて、適当な長さに切断して切り落とすことが出来る。そこで、該切欠き溝１６はカッターにて手軽に切り落とし出来る形状と成っている。
【００１３】
上記実施例の隙間カバー材は取付け部材１とカバー部材２とが、軟質樹脂から成る繋ぎ部３にて連結している。しかし、これら各部材を別々の独立部材として製作し、取付ける際にＬ型に組み立てることも出来る。図４は組立て式の隙間カバー材であり、取付け部材１とカバー部材２は別々の独立部材になっている。そして、取付け部材１に設けている嵌合凹部６にカバー部材２の嵌合凸部８が嵌って組み立てられる。
【００１４】
その為に、取付け部材１は共通化し、一方のカバー部材２は隙間１３の大きさの応じて使い分け出来るように、複数の長さのカバー部材２を準備されている。この場合、カバー部材２の先端には軟質樹脂から成る先端部４を有しているが、後端面１７は嵌合凸部８から所定の寸法に定められることで、家具側面１４又は壁面１２に取付けられることで隙間無く当接することが可能である。
【００１５】
図５は取付け部材１にカバー部材２をＬ型に組付ける為の別手段を表わしている。取付け部材１からは係止片１８を突出し、カバー部材にから延びるツメ１９が該係止片１８の先端に係止している。軟質樹脂から成る繋ぎ部３がカバー部材２を常に開く方向に弾性力を付勢するならば、ツメ１９が係止片１８に係止するだけで、Ｌ型形状を保つことが出来る。すなわち、嵌合凹部と嵌合凸部の組み合わせに限るものではない。
【００１６】
以上述べたように、本発明に係る隙間カバー材は取付け部材とカバー部材から成り、Ｌ型断面をした長尺材であり、次のような効果を得ることが出来る。
【００１７】
【発明の効果】
本発明の隙間カバー材はＬ型断面の長尺材であり、取付け部材を壁面又は家具側面に固定してカバー部材にて隙間を塞ぐことが出来る。カバー部材は先端部を軟質樹脂とし、取付け部材との繋ぎ部も軟質樹脂と成っている為に、壁面及び家具側面との間に隙間無く密着することが出来る。そして該隙間の大きさが変化しても、先端部が適度に撓むことで隙間を塞ぐことが可能と成る。
【００１８】
又、該隙間カバー材は取付け部材とカバー部材が繋ぎ部を介して同一面にて成形され、取付ける際にＬ型断面に屈曲した部材と成る為に、運搬などの取り扱いは便利である。又、カバー部材に切欠き溝を形成することでで、隙間の大きさに応じて切り落とすことも出来る。さらに、取付け部材とカバー部材を別部品として成形するならば、隙間の大きさに応じてカバー部材を選択して組み合わせることが可能である。
【図面の簡単な説明】
【図１】本発明の隙間防止材を示す実施例。
【図２】隙間防止材を取り付けた場合。
【図３】隙間防止材を取付けた場合。
【図４】２ピースから成る本発明に係る隙間防止材の他の実施例。
【図５】取付け部材とカバー部材をＬ型に組付ける為の別手段。
【図６】収納空間に家具を収容している場合。
【図７】従来の隙間カバー方法。
【図８】書棚を配列した間仕切り。
【符号の説明】
１  取付け部材
２  カバー部材
３  繋ぎ部
４  先端部
５  アーム
６  嵌合凹部
７  アーム
８  嵌合凸部
９  穴
１０  家具
１１  収納空間
１２  壁面
１３  隙間
１４  側面
１５  表面
１６  切欠き溝
１７  後端面
１８  係止片
１９  ツメ
【図１】
2004305288.tif 000003
【図２】
2004305288.tif 000004
【図３】
2004305288.tif 000005
【図４】
2004305288.tif 000006
【図５】
2004305288.tif 000007
【図６】
2004305288.tif 000008
【図７】
2004305288.tif 000009
【図８】
2004305288.tif 000010